(57)【要約】      （修正有）【課題】  各種の包布類等のワークを表返しする作業を著しく容易に行えるとともに、作業能率の大変良いワークの表返し装置を提供する。またワークの表返しのために、ワークに負担がかからないようにする。【解決手段】  裏返っているワークを表返しするためにワークに気流を噴射するための送風ファンを有し、かつその周囲をダクト状のバケットによって囲んだ送風機を具備する装置について、送風機の送風口部分１８の作業者側に、後方へ向いた変向部１６を設けるとともに、送風口部分１８の内側の後側にワークＷの開口部近傍の部分を掛け止める掛止部１９を内方へ向けて突設し、バケット内の送風ファン上にワークＷを受け止めるネット１３を設ける。送風機１５の操作を足踏み式にて行うスイッチ２４を、送風機１５又はその近傍の床に設置する。また送風機１５の後側に、表返しされたワークＷを受け取るテーブルを備えている。【選択図】          図１
2006112015.tif 000002
【特許請求の範囲】
【請求項１】
裏返っているワークを表返しするためワークに気流を噴射するための送風ファンを有し、かつその周囲をダクト状のバケットによって囲んだ送風機を具備する装置であって、送風口部分の作業者側に、後方へ向いた変向部を設けるとともに、送風口部分の内部の後側にワークの開口部近傍の部分を掛け止める掛止部を内方へ向けて突設し、バケット内の送風ファン上にワークを受け止めるネットを設けたことを特徴とするワークの表返し装置。
【請求項２】
送風機の操作を足踏み式にて行うスイッチを、送風機又はその近傍の床に設置した請求項１記載のワークの表返し装置。
【請求項３】
送風機の後側に、表返しされたワークを受け取るテーブルを備えている請求項１又は２記載のワークの表返し装置。
【発明の詳細な説明】
【技術分野】
【０００１】
本発明は、裏返っているワークを表返しするための装置に関するものである。
【背景技術】
【０００２】
提携先のホテルや病院等から回収した、使用済みの布類を洗濯し、折り畳んで配達する業務では、筒状或いは袋状の布類の表裏を確めて作業を行う必要がある。このための装置として、本件出願人は特開２００２−５８８９９号を開発しており、同号の装置は、反転させたワークを収める空間を有する吸引筒を具備し、吸引筒の開口部に取り付けたワークを吸引力によって吸引筒内に吸引し、反転させる、という構成を有している。この結果、ワークを収める大きな空間を持った吸引筒が不可欠であり、装置として大型化を免れないという問題があった。
【０００３】
また、特開平１１-１８９９６９号は、袋状縫製物の開口部に臨ませて空気を噴射することにより袋状縫製物を裏返す装置を開示している。しかし、同号の装置の場合、先細りのテーパ状に形成されたノズル開口を２個噴射方向下流側で拡開するようにＹ字形に形成したものであるから、空気の噴射方向が２方向へ拡がるようになり、夫々の噴射力を均等に受けるようにワークを取り扱わなければ一方に片寄ってしまい、作業上の約束やコツをつかむことが必要と考えられる。また、空気の噴射方向が拡開するため、作業によっては２名の人員を必要とするという問題もある。
【０００４】
またこれらの従来の装置は、ワークの反転及び同じ意味での裏返しという作業を目的としており、夫々目的を達成し得るものであるが、反転ないし裏返しが実施し得る作業の全てである。これらの装置は、布類の洗濯、折り畳みという作業の流れの中で使用するものであり、小型であること及び隣接する装置との連携の良いことが望まれる。
【０００５】
【特許文献１】特開２００２−５８８９９号
【特許文献２】特開平１１-１８９９６９号
【発明の開示】
【発明が解決しようとする課題】
【０００６】
本発明は前記の実情に着目してなされたもので、その課題は、各種の包布類等のワークを表返しする作業を著しく容易に行えるとともに、作業能率の大変良いワークの表返し装置を提供することである。また本発明の他の課題は、ワークの表返しのために、ワーク
に、負担がかからないようにする点にある。
【課題を解決するための手段】
【０００７】
前記の課題を解決するため本発明は、裏返っているワークを表返しするための装置について、送風口部分の作業者側に後方へ向いた変向部を設けるとともに、送風口部分の内部の後側にワークの開口部近傍の部分を掛け止める掛止部を内方へ向けて突設し、バケット内の送風ファン上にワークを受け止めるネットを設けるという手段を講じたものである。
【０００８】
本発明において、表返し、とは裏返っている包布類その他のワークを表が外側になるように内外反転させることを意味し、裏を返して表とすることであるから一般には裏返すというのと同義である。ワークとしては、一辺のみ開口した袋状構造を有する全包布や、ふとんカバーのように片面の一部が額縁状に開口している額縁状包布及び夫々の類似品、その他全体的か部分的かを問わずに袋状ないし筒状の構造を有しているものを含む。
【０００９】
ワークの袋状ないし筒状構造の中に気流を噴射するための手段として送風ファンを具備する。本発明における送風機は、送風ファンの周囲をシュラウド又はダクトと呼ばれる囲みによって囲んだ構造を有しており、シュラウド又はダクトは送風ファンの周囲を囲む筒状構造体を指すもので、ファンによる送風効果を高めるとともにファンから作業者を保護する。
【００１０】
円筒状のダクトは、ワークを投入するバケットを兼ねている。即ち、表返しするワークはこのバケットの中に投入される構成を取るものであり、そのために、バケット内の送風ファン上位の少なくとも上流の箇所にはネットを設け、投入されるワークを受け取め、作業者が取り上げるまでの間、そこに置かれるので、その間に送風ファンからの送風を受けて膨らみ、或いはワーク内部に送風を行き渡らせることになるので、２枚の布がぴったりはり着いているような状態が解消するか、少なくとも容易に離れ得る状態にする。このためワークの表返しが著しく容易となり、部分的に２枚の布がはり着いたまま不完全に表返しがされているという問題が解消される。
【００１１】
円筒状のバケットの送風口部分(出口部分)には、送風の方向を変えるための変向部が設けられる。送風の方向は、作業者から離れる或いは遠去かる方向に変えられ、具体的に
は、バケットを前にして作業を行う者に対してバケットの後方(バケットを挟んで作業者とは反対側)の方向)が良い。これによりワークに対する送風を方向付けて作業性を高めるとともに、作業者は送風をまともに受けることがなくなり、かつまた衛生面で改善がみられるものとなる。
【００１２】
変向部によって変向された、送風口部分の後側には掛止部が設けられる。掛止部はワークの縁を引っ掛けるなどして一時的に固定し、包布などのワークの縁を後端にて支え、前端を支える作業者が１人でもワークの口が自然に開かれるようにするものである。このようにワークの縁などを掛止部で一時的に固定することができ、しかもこの固定は、バケット内からワークを取り上げる過程にてワークが膨らむ力を利用して行わせることができることであるので、作業者が掛止部にワークの縁などを掛けてやる必要がなくなり、それ故１人で作業することができるのである。このような変向部はバケットの内方つまり円筒の中心方向へ向かって突き出るような形態を取り、そのために掛止部は最大突出部よりも下方がオーバーハング部となっている。
【００１３】
送風機は、作業中半乾きのワークに対して必要な送風を続けるために微風ないし弱風を送る運転状態を取る。また、同じ送風機により、ワークを表返しする風力を得るために強風を送る運転状態を取ることも必要であり、このために、送風機の運転状態の制御を足踏み式にて行うスイッチを送風機の近傍の床部や送風機自体に設置することができる。これによって、送風機の起動、運転状態の制御、行動停止などの作業を、作業者の両手が塞がっている状態でも容易に行うことができるようになる。
【００１４】
さらに、送風機の後側に、表返しされたワークを受け取るテーブルを配置する。テーブルは、送風機によって表返しされた包布類等のワークを受け取るものであり、これによって、表返し作業と、テーブルへの預け渡し作業とを一連のものとして連続的に行うことができるようになる。
【発明の効果】
【００１５】
本発明は以上の如く構成されかつ作用するものであるから、開口縁などを送風口内の掛止部に掛け止めることができるワークは、全部、本装置によって表返し可能であり、操作は開口縁などを送風口部分に掛け止めることを含めて、ほぼ自動的に行えるから熟練を必要とせず、１名の人員で能率よく表返し作業を行うことができるという顕著な効果を奏する。
【発明を実施するための最良の形態】
【００１６】
以下本発明に係る包布類の表返し装置の実施形態について詳細に説明する。図１は本発明装置１０の側面図、図２は同じく平面図である。各図において、１１は送風ファンであり、円筒状に設けられたバケット１２により囲まれている。送風ファン１１の上流及び下流の両側には網状構造から成るネット１３、１４が設けられており、送風ファン１１を囲んでおり、下流側防護ネット１４上の空所はワークを投入するバケット１２の内底部を構成している。バケット１２で囲まれた送風ファン１１は送風機１５を構成している。またバケット１２の上部は後方に彎曲した変向部１６を構成している。
【００１７】
例示の送風機１５は、床上に設置した機台１７に、設置されている。本発明におけるバケット１２が円筒状に設けられていることは既に説明したが、その送風口部分１８は、下流に向かって流路断面積が絞られたノズル状となっており、そのため、流速は送風口部分１８で増加する。さらに送風口部分は横に拡がり縦に狭ばまった形状に形成されており(図２参照）、ワークを表返しする気流が左右に延びた偏平な流路断面積のものとして噴出するようにしており、これにより全包布など横長のものをはじめとしてワークに対する反転作業をより円滑に行えるように図っている。
【００１８】
また、バケット１２の送風口部分１８の後側には、掛止部１９が内方へ突出するように設けられている。掛止部１９は、横長の前記送風口部分１８と同様に横長に設けることができ、掛止部１９の頂点に向かって、ワークに対して抵抗を与えるために必要な長さのオーバーハング２０を有している。掛止部１９として内方への突出は或る程度必要であるが、突出形状の代わりにワークに対して抵抗となる手段を送風口へ到るバケット１２の内面に設けることも可能である。そのような抵抗付与手段としては例えばゴム板のような素材自体の性質によるもの、凹凸など粗面から成る構造的なものなどを挙げることができ、これと内方への突出とを併せて設けることも可能である。また、送風口部分１８の掛止部側出口には立ち上がり２１があり、掛止機能を向上させる作用を果たす。
【００１９】
送風機１５の後側には、図１、図２に示すようにワークを受け取るテーブル２２が設置されている。例示のテーブル２２は、左右に長く前後に短い平らな台状であり、表返したワークを拡げて置くもので、場所を取らずに済む。本発明に係る装置１０の後段には折り畳み機への投入部の配置されることが多いが、その間にスペースが十分なくても、テーブル２２は占有面積が狭くて済むため、本装置１０の設置も容易になる。図中２３は制御部を示しており、送風機１５の制御を行う。また２４は足踏み式のスイッチで、床に配置される。
【００２０】
このように構成されている本発明に係る装置１０は、作業前、送風機１５が停止又はワークＷの投入を阻害しない程度の微速運転状態にあり、この状態で、作業対象物であるワークＷをバケット１２に投入する。ワークＷが包布の場合作業者は包布の開口部を上にして投入するものとし、かつ開口部を手前（作業者側）に引くようにする（図３の１）。そこで作業者がスイッチ２４を踏むと、送風ファン１１の回転数が規定値まで上昇し、それに伴いワークＷは、バケット内で下にあるワーク裏面の閉じた部分が開口部を通って吹き上がりふくらむ状態となり（図３の２）、その過程においてワークＷの後側の開口縁Ｘまでの部分はバケット送風口部分１８の掛止部１９に接することにより引っ掛かる状態となって一時的に固定される（図３の３）。さらにワークＷの手前を持ったまま、作業者はスイッチ２４を踏むのを止めると、バケット１２の変向部１６が後方を向いているために、ワークＷは膨らんで後方に傾斜した状態のまま、自然に、テーブル２２上にゆっくりと落ち、そこ預けられ、送風ファン１５の回転は係止又は微速運転状態となる（図３の４）。ワークＷはテーブル２２に表返しされた状態で置かれるので、次工程への投入等の作業が別の作業者により行われ、一方、本装置１０については新たなワークＷをバケット１２に投入して表返す作業が繰り返される（図３の５）。
【図面の簡単な説明】
【００２１】
【図１】本発明に係る包布類の表返し装置の１実施例を示す側面図。
【図２】同上の平面図。
【図３】本発明による作業工程を順を追って示す説明図。
【符号の説明】
【００２２】
１０  包布類の表返し装置
１１  送風ファン
１２  バケット
１３、１４  ネット
１５  送風機
１６  変向部
１８  送風口部分
１９  掛止部
２０  オーバーハング
２１  立ち上がり
２２  テーブル
２４  スイッチ
Ｗ  ワーク
Ｘ  ワークの後側の開口縁
【図１】
2006112015.tif 000003
【図２】
2006112015.tif 000004
【図３】
2006112015.tif 000005